【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
最初の画像フレーム上で画像化プロセスを実行する画像化装置であり、像強度をデジタル画素値に変換して一組のデジタル画素を生成する画像化装置と、
画像を表示する表示画面、表示データ処理装置およびユーザ制御手段を有する表示装置であり、ユーザが、前記表示画面にスポットライトを配置し、それによってスポットライト領域を画定し、事前定義の一組のユーザ・コマンドの中から、前記スポットライト領域内の画像データに関係した１つまたは複数のユーザ・コマンドを選択することができる表示装置と
を備え、
前記表示データ処理装置に、前記スポットライト領域に類似した画素配列を有する前記最初の画像フレームの他のエリアを探索し、それらのエリアを前記表示装置上で強調表示させる所定のユーザ・コマンドに応答して、前記スポットライト領域の表示を変化させる
画像化アセンブリ。
【請求項２】
事前定義のユーザ・コマンドによって、前記スポットライト領域内のグレー・シェード・スケールが変化する、請求項１に記載の画像化アセンブリ。
【請求項３】
前記事前定義のユーザ・コマンドが利用され、事前定義の追加のユーザ・コマンドによって、前記スポットライト領域のグレー・シェード・スケールが前記最初の画像フレームに一般化される、請求項２に記載の画像化アセンブリ。
【請求項４】
事前定義のユーザ・コマンドによって、前記スポットライト領域が反転コントラストで
示される、請求項１に記載の画像化アセンブリ。
【請求項５】
事前定義のユーザ・コマンドによって、前記スポットライト内の特徴部分の測定が実施される、請求項１に記載の画像化アセンブリ。
【請求項６】
事前定義のユーザ・コマンドによって、前記画像化装置が前記スポットライト領域を再画像化する、請求項１に記載の画像化アセンブリ。
【請求項７】
前記ユーザ制御手段がマウスまたはタッチ・スクリーンを含む、請求項１に記載の画像化アセンブリ。
【請求項８】
前記スポットライト・エリアを再画像化するときに、前記画像化装置が、最初に画像化したスポットライト・エリア内に見られる像強度範囲により良好に適合した像強度−画素値変換を使用する、請求項６に記載の画像化アセンブリ。
【請求項９】
前記画像化装置が焦点範囲の調整を含み、前記スポットライト・エリアを再画像化するときに、前記スポットライト領域の最も近い範囲の要素の方が、前記最初の画像フレームの最も近い範囲の要素よりも画像化装置から近い場合に、前記画像化装置が、前記スポットライト領域の最も近い範囲の要素に整合するように前記焦点範囲を調整する、請求項６に記載の画像化アセンブリ。
【請求項１０】
前記画像化装置が走査ビームを利用し、前記最初のフレームを画像化するのに使用した前記走査ビームが、可能な最も細いビームでなかった場合に、前記スポットライト領域の前記再画像化に対してより細いビームが使用される、請求項６に記載の画像化アセンブリ。
【請求項１１】
前記画像化装置が走査ビームを利用し、前記走査ビームからの戻りをサンプリングし、前記最初のフレームを画像化するのに使用した単位走査長当たりのサンプリング・レートが可能な最高のものでなかった場合に、前記スポットライト領域の前記再画像化に対してより速いサンプリング・レートが使用される、請求項６に記載の画像化アセンブリ。
【請求項１２】
前記画像化装置が走査電子顕微鏡である、請求項１に記載の画像化アセンブリ。
【請求項１３】
前記画像化装置が透過型電子顕微鏡である、請求項１に記載の画像化アセンブリ。
【請求項１４】
前記画像化装置が集束イオン・ビーム顕微鏡である、請求項１に記載の画像化アセンブリ。
【請求項１５】
前記画像化装置がスモール・デュアル・ビーム顕微鏡である、請求項１に記載の画像化アセンブリ。
【請求項１６】
前記画像化装置がデジタル光学顕微鏡である、請求項１に記載の画像化アセンブリ。
【請求項１７】
画像を表示する表示画面および前記表示画面を制御する表示データ処理アセンブリを有する画像表示装置と、
前記表示データ処理アセンブリに接続されたユーザ制御手段と
を備え、
前記ユーザ制御手段によって、ユーザが、前記表示画面上にスポットライトを配置することができ、それにより前記スポットライトの内側と前記スポットライトの外側とで画像が異なって表示され、
前記ユーザ制御手段によって、前記スポットライトの内側で、あるパターンと類似したパターンの位置を突き止めるために前記画像上で探索することができ、さらに、ユーザが、前記スポットライトの外側での画像の表示のされ方が前記スポットライトの内側での画像の表示のされ方と同じになるように、前記スポットライトの外側での画像の表示のされ方を変化させることができる
画像表示アセンブリ。
【請求項１８】
デジタル画素値を表示画素強度に変換するスケールを、スポットライト領域内のデジタル画素値の範囲により良好に適合するように変更することによって、前記スポットライト内の画像が異なって表示される、請求項１７に記載の画像表示アセンブリ。
【請求項１９】
表示画面および前記表示画面を制御する表示データ処理アセンブリを有する画像表示装置と、
前記表示データ処理アセンブリに接続されたユーザ制御手段と
を備え、
前記ユーザ制御手段によって、ユーザが、前記表示画面上にスポットライトを配置すること、および前記スポットライト内のあるパターンを検出し、前記スポットライトの外側に出現する類似のパターンを強調表示するアルゴリズムを実行させることができる
画像表示アセンブリ。
【請求項２０】
アナログ電気信号をデジタル電気信号に変換し、それによって一組の画素を形成するアナログ−デジタル変換器を含むデジタル画像形成装置と、
前記画像形成装置から前記画素を受け取るように適合された画像表示装置であり、表示画面および前記表示画面を制御する表示データ処理アセンブリを有し、それによって前記表示画面が第１の画像を表示することができる画像表示装置と、
前記表示データ処理アセンブリに接続されたユーザ制御手段と
を備え、
前記ユーザ制御手段によって、ユーザが、あるパターンを有するエリアを画定する前記表示画面上にスポットライトを配置すること、前記スポットライトの内側で、前記パターンと類似したパターンの位置を突き止めるために前記画像上で前記表示データ処理アセンブリによって探索を開始させること、および前記デジタル画像形成装置が、スポットライト・エリアに対応する領域を再画像化するようにし、前記画像表示装置が、再画像化された前記スポットライト領域を表示するようにすることができる
画像形成および表示アセンブリ。
【請求項２１】
前記デジタル画像形成装置が前記スポットライト・エリアを再画像化するときに、前記デジタル画像形成装置が、最初に画像化したスポットライト・エリア内に見られる像強度の範囲により良好に適合した像強度−画素値変換を使用する、請求項２０に記載の画像化アセンブリ。
【請求項２２】
前記デジタル画像形成装置が焦点範囲の調整を含み、前記スポットライト・エリアを再画像化するときに、前記スポットライト領域の最も近い範囲の要素の方が、前記最初の画像フレームの最も近い範囲の要素よりも前記デジタル画像形成装置から近い場合に、前記デジタル画像形成装置が、前記スポットライト領域の最も近い範囲の要素に整合するように前記焦点範囲を調整する、請求項２０に記載の画像化アセンブリ。
【請求項２３】
前記デジタル画像形成装置が走査ビームを利用し、前記最初のフレームを画像化するのに使用した前記走査ビームが、可能な最も細いビームでなかった場合に、前記スポットライト領域の前記再画像化に対してより細いビームが使用される、請求項２０に記載の画像化アセンブリ。
【請求項２４】
前記デジタル画像形成装置が走査ビームを利用し、前記走査ビームからの戻りをサンプリングし、前記最初のフレームを画像化するのに使用した単位走査長当たりのサンプリング・レートが可能な最高のものでなかった場合に、前記スポットライト領域の前記再画像化に対してより速いサンプリング・レートが使用される、請求項２０に記載の画像化アセンブリ。